(57)【特許請求の範囲】
【請求項１】
溶融物質中に冷却体を浸漬し、その冷却体の表面に前記物質の結晶を晶出、成長させる精製法において、
前記冷却体の周速が７００ｍｍ／ｓ以上８０００ｍｍ／ｓ未満となるように冷却体を回転させながら溶融物質中に浸漬させていき、且つ溶融物質に浸漬するときの冷却体の温度を、前記物質の固相線温度×０．７以上で固相線温度以下とすることを特徴とする物質精製法。
【請求項２】
冷却体の周速を１５００ｍｍ／ｓ以上６０００ｍｍ／ｓ未満とする請求項１に記載の物質精製法。
【請求項３】
前記冷却体の表面に前記物質の結晶を晶出、成長させた後に冷却体を溶融物質から引き上げるときに、冷却体に晶出した結晶部分の溶融物質との界面における周速が７００ｍｍ／ｓ以上、８０００ｍｍ／ｓ未満となるように冷却体を回転させながら引き上げを行う請求項１または２に記載の物質精製法。
【請求項４】
冷却体に晶出した結晶部分の溶融物質との界面における周速が１５００ｍｍ／ｓ以上、７０００ｍｍ／ｓ未満となるように冷却体を回転させる請求項３に記載の物質精製法。
【請求項５】
溶融物質に浸漬するときの冷却体の温度を、前記物質の固相線温度×０．８以上とする請求項１〜４の何れかに記載の物質精製法。
【請求項６】
溶融物質に浸漬するときの冷却体の温度を、前記物質の固相線温度×０．９以上とする請求項１〜４の何れかに記載の物質精製法。
【請求項７】
冷却体浸漬後の精製初期の冷却体の最大周速がその後の平均周速より高速である請求項１〜６の何れかに記載の物質精製法。
【請求項８】
冷却体浸漬後の精製初期の冷却体の最大周速がその後の平均周速×１．１以上である請求項７に記載の物質精製法。
【請求項９】
精製初期とは精製開始から全精製時間×０．１まで(但し、１０秒以上１２０秒以下)である請求項７または８に記載の物質精製法。
【請求項１０】
前記物質が金属である請求項１〜９のいずれかに記載の物質精製法。
【請求項１１】
前記金属がアルミニウムである請求項１０に記載の物質精製法。
【請求項１２】
精製すべき物質を溶融状態で収容する炉体と、前記炉体に収容された溶融物質中に浸漬される回転可能な冷却体とを備えた精製装置において、
前記冷却体の周速が７００ｍｍ／ｓ以上８０００ｍｍ／ｓ未満に設定され、かつ冷却体の温度が前記物質の固相線温度×０．７以上で固相線温度以下に設定された状態で、冷却体が前記溶融物質中に浸漬されるものとなされていることを特徴とする物質精製装置。
【請求項１３】
冷却体の温度が前記物質の固相線温度×０．８以上に設定される請求項１２に記載の物質精製装置。
【請求項１４】
冷却体の温度が前記物質の固相線温度×０．９以上に設定される請求項１２に記載の物質精製装置。
【請求項１５】
精製初期の冷却体の最大周速がそれ以降の平均周速よりも大きくなるように、冷却体の回転速度を制御する制御手段を備えている請求項１２に記載の物質精製装置。
【請求項１６】
前記制御手段は、精製初期の冷却体の最大周速がそれ以降の平均周速×１．１以上となるように冷却体の回転速度を制御する請求項１５に記載の物質精製装置。
【請求項１７】
前記精製初期が、精製開始から全精製時間×０．１までである請求項１５または１６に記載の物質精製装置。
【発明の詳細な説明】
【技術分野】
【０００１】
この発明は金属等の物質の精製法及び装置に関し、更に詳しく言えば、偏析凝固法の原理を利用して、共晶不純物を含む物質から、共晶不純物の含有量を元の物質よりも少なくし、高純度の物質を精製する方法と装置に関する。
【背景技術】
【０００２】
アルミニウム中に不純物、特にアルミニウムと共晶を生成するFe、Si、Cu等の不純物が含まれている場合、これらの不純物を除去して高純度のアルミニウムを得るためには、このアルミニウムを溶融し、これを冷却して凝固させる際の初晶アルミニウムを選択的に取り出すことが効果的であるという原理は周知である。
【０００３】
従来から上記原理を利用した種々のアルミニウムの精製法が提案されている。例えば、特許文献１には、冷却体の外周部と溶融アルミニウムとの相対速度が１６００ｍｍ／ｓ〜８０００ｍｍ／ｓとなるように冷却体を回転させることによって、凝固界面近傍の不純物の濃縮層を薄くし、精製アルミニウムの純度を高くすることが提案されている。
【０００４】
また、特許文献２には、冷却体を中心に冷却体の周囲で溶融アルミニウムに働く遠心加速度が０．０１ｍ／ｓ２以上１５００ｍ／ｓ２以下になるよう溶融アルミニウムを回転させ、且つガス気泡を溶融アルミニウム中に導入し、ガス気泡を溶融アルミニウムに働く遠心力の反作用の力によって、凝固界面に移動させ、浮上しながら該凝固界面及びその近傍を擦過することにより、凝固界面に生じる不純物濃化層を効率よく除去できる手段が提案されている。
【特許文献１】特公昭６１−３３８５号公報
【特許文献２】特許第３６７４３２２号公報
【発明の開示】
【発明が解決しようとする課題】
【０００５】
しかしながら、これら従来の技術においては、得られるアルミニウムの不純物を十分に除去できておらず、また生産性および操業上の不具合があった。
【０００６】
即ち、特許文献１及び特許文献２に記載の技術においては、冷却体を溶融アルミニウム中に浸漬する際にその冷却体の温度がアルミニウムの融点よりも低いと、冷却体を回転させる前に冷却体の外周表面にアルミニウムが晶出しはじめる。その後アルミニウムを凝固成長させても、冷却体の外周表面に近い部分に晶出した結晶は不純物濃度が高く、この部分が晶出したアルミニウム全体の不純物濃度を高める要因になるため、十分な精製効率が得られないという問題があった。
【０００７】
また、上記のように冷却体周面の温度が低い冷却体を精製すべき溶融アルミニウム中に浸漬すると、冷却体近傍では凝固速度が大きくなる。このような凝固速度が大きい状態で晶出したアルミニウムは冷却体との密着性が悪く、回転による遠心力によって、非常に剥離しやすく、一定時間の精製後に剥離すると精製アルミニウムの回収量が少なくなったり、塊の剥離時及び塊の変形により溶湯の飛び、跳ねが起こりやすく、作業性に問題があった。
【０００８】
このような問題は、アルミニウムだけでなく、偏析凝固法の原理を利用して精製を行うことのできる他の金属や、金属以外の物質においても、同様に生じるものであった。
【０００９】
この発明は、このような背景に鑑みてなされたものであって、高い精製効率が得られるとともに、冷却体との密着性も良く、冷却体の回転に起因する遠心力による剥離を抑制でき、精製物質の回収量の多い物質精製法及び精製装置を提供することを課題とする。
【課題を解決するための手段】
【００１０】
上記課題は、以下の手段によって解決される。
【００１１】
（１）溶融物質中に冷却体を浸漬し、その冷却体の表面に前記物質の結晶を晶出、成長させる精製法において、前記冷却体の周速が７００ｍｍ／ｓ以上８０００ｍｍ／ｓ未満となるように冷却体を回転させながら溶融物質中に浸漬させていき、且つ溶融物質に浸漬するときの冷却体の温度を、前記物質の固相線温度×０．７以上とすることを特徴とする物質精製法。
【００１２】
（２）冷却体の周速を１５００ｍｍ／ｓ以上６０００ｍｍ／ｓ未満とする前項１に記載の物質精製法。
【００１３】
（３）前記冷却体の表面に前記物質の結晶を晶出、成長させた後に冷却体を溶融物質から引き上げるときに、冷却体に晶出した結晶部分の溶融物質との界面における周速が７００ｍｍ／ｓ以上、８０００ｍｍ／ｓ未満となるように冷却体を回転させながら引き上げを行う前項１または２に記載の物質精製法。
【００１４】
（４）冷却体に晶出した結晶部分の溶融物質との界面における周速が１５００ｍｍ／ｓ以上、７０００ｍｍ／ｓ未満となるように冷却体を回転させる前項３に記載の物質精製法。
【００１５】
（５）溶融物質に浸漬するときの冷却体の温度を、前記物質の固相線温度×０．８以上とする前項１〜４の何れかに記載の物質精製法。
【００１６】
（６）溶融物質に浸漬するときの冷却体の温度を、前記物質の固相線温度×０．９以上とするとする前項１〜４の何れかに記載の物質精製法。
【００１７】
（７）冷却体浸漬後の精製初期の冷却体の最大周速がその後の平均周速より高速である前項１〜６の何れかに記載の物質精製法。
【００１８】
（８）冷却体浸漬後の精製初期の冷却体の最大周速がその後の平均周速×１．１以上である前項７に記載の物質精製法。
【００１９】
（９）精製初期とは精製開始から全精製時間×０．１まで(但し、１０秒以上１２０秒以下)である前項７または８に記載の物質精製法。
【００２０】
（１０）前記物質が金属である前項１〜９のいずれかに記載の物質精製法。
【００２１】
（１１）前記金属がアルミニウムである前項１０に記載の物質精製法。
【００２２】
（１２）精製すべき物質を溶融状態で収容する炉体と、前記炉体に収容された溶融物質中に浸漬される回転可能な冷却体とを備えた精製装置において、前記冷却体の周速が７００ｍｍ／ｓ以上８０００ｍｍ／ｓ未満に設定され、かつ冷却体の温度が前記物質の固相線温度×０．７以上に設定された状態で、冷却体が前記溶融物質中に浸漬されるものとなされていることを特徴とする物質精製装置。
【００２３】
（１３）冷却体の温度が前記物質の固相線温度×０．８以上に設定される前項１２に記載の物質精製装置。
【００２４】
（１４）冷却体の温度が前記物質の固相線温度×０．９以上に設定される前項１２に記載の物質精製装置。
【００２５】
（１５）精製初期の冷却体の最大周速がそれ以降の平均周速よりも大きくなるように、冷却体の回転速度を制御する制御手段を備えている前項１２に記載の物質精製装置。
【００２６】
（１６）前記制御手段は、精製初期の冷却体の最大周速がそれ以降の平均周速×１．１以上となるように冷却体の回転速度を制御する前項１５に記載の物質精製装置。
【００２７】
（１７）前記精製初期が、精製開始から全精製時間×０．１までである前項１５または１６に記載の物質精製装置。
【発明の効果】
【００２８】
前項（１）に記載の発明によれば、溶融物質の固相線温度×０．７以上の温度の冷却体を周速７００ｍｍ／ｓ以上で回転させながら、溶融物質中に浸漬させていくから、精製初期の段階から冷却体との密着性の良い高純度の結晶を晶出させることができ、冷却体との剥離を防止し得て精製物質の回収量を多くすることができる。しかも、冷却体を周速８０００ｍｍ／ｓ未満とするから、溶融物質の飛び散り等の操業上の問題が発生するのを防止することができる。
【００２９】
前項（２）に記載の発明によれば、さらに高純度の精製物質を溶融物質の飛び散り等をさらに抑制しながら得ることができる。
【００３０】
前項（３）に記載の発明によれば、晶出した結晶部分の表面にさらに不純物濃度の高い溶融物質が付着して精製効率が悪化するのを防止できる。
【００３１】
前項（４）に記載の発明によれば、晶出した結晶部分の表面にさらに不純物濃度の高い溶融物質が付着するのをさらに抑制できる。
【００３２】
前項（５）に記載の発明によれば、溶融物質の凝固速度をさらに小さくでき、冷却体との密着性をさらに高くでき、剥離を防止して精製物質の回収量をさらに増大できる。
【００３３】
前項（６）に記載の発明によれば、溶融物質の凝固速度をより一層小さくでき、冷却体との密着性をさらに高くでき、剥離を防止して精製物質の回収量をさらに増大できる。
【００３４】
前項（７）に記載の発明によれば、精製初期の冷却体の最大周速をそれ以降の平均周速よりも大きく設定して精製を行うから、冷却体を精製すべき溶融物質中に浸漬した際の精製初期に、たとえ凝固速度が大きく密着性の良くない晶出物が精製されても、これを回転冷却体から積極的に剥離させ、溶融物質中に再溶解させることができる。こうして、冷却体との密着性の良くない晶出物はごく初期に除去されるので、凝固速度が大きな状態で晶出した物質がある程度成長した後に冷却体から剥離する事態を回避でき、積極剥離後の精製物質を剥離することなく成長させることができ、精製物質の回収量を大きくすることができる。
【００３５】
前項（８）に記載の発明によれば、凝固速度が大きく冷却体との密着性が悪い晶出物の初期の積極的剥離効果を有効に発揮させることができる。
【００３６】
前項（９）に記載の発明によれば、精製効率の安定的な向上を期待できる。
【００３７】
前項（１０）に記載の発明によれば、精製初期の段階から冷却体との密着性の良い高純度の金属結晶を晶出させることができ、冷却体との剥離を防止し得て精製金属の回収量を多くすることができる。
【００３８】
前項（１１）に記載の発明によれば、冷却体との密着性の良い高純度のアルミニウムを晶出させることができ、冷却体との剥離を防止し得て精製アルミニウムの回収量を多くすることができる。
【００３９】
前項（１２）に記載の発明によれば、精製初期の段階から冷却体との密着性の良い高純度の結晶を晶出させることができ、冷却体との剥離を防止し得て精製物質の回収量を多くすることができる精製装置となしうる。
【００４０】
前項（１３）に記載の発明によれば、溶融物質の凝固速度をさらに小さくでき、冷却体との密着性をさらに高くでき、剥離を防止して精製物質の回収量をさらに増大できる精製装置となしうる。
【００４１】
前項（１４）に記載の発明によれば、溶融物質の凝固速度をより一層小さくでき、冷却体との密着性をさらに高くでき、剥離を防止して精製物質の回収量をさらに増大できる精製装置となしうる。
【００４２】
前項（１５）に記載の発明によれば、精製初期の冷却体の最大周速をそれ以降の平均周速よりも大きく設定して精製を行うから、凝固速度が大きく冷却体との密着性の悪い晶出物質を精製初期に積極的に剥離させることができる精製装置となしうる。
【００４３】
前項（１６）に記載の発明によれば、凝固速度が大きく冷却体との密着性が悪い晶出物の初期の積極的剥離効果を有効に発揮させることができる精製装置となしうる。
【００４４】
前項（１７）に記載の発明によれば、精製効率の安定的な向上を期待できる精製装置となしうる。
【発明を実施するための最良の形態】
【００４５】
以下、この発明の一実施形態を説明する。
【００４６】
図１はこの発明の一実施形態に係るアルミニウム精製装置の概略構成と、これを用いた精製方法を説明するための図である。
【００４７】
図１において、１は溶湯保持炉であり、この溶湯保持炉１の内部に溶融アルミニウム（溶湯ともいう）２が収容保持されている。保持炉１の上方には回転冷却体３が、図示しない回転駆動装置及び移動装置により回転可能にかつ上下左右移動自在に配置されるとともに、アルミニウムの精製時には冷却体３を回転させながら下方移動させ、冷却体３を溶湯保持炉１内の溶融アルミニウム２中に浸漬させるものとなされている。なお、冷却体３を下方移動させるのではなく、溶湯保持炉１を上方移動させて、冷却体３を溶融アルミニウム２中に浸漬させても良い。
【００４８】
また、冷却体３の内部には冷却流体が供給され、アルミニウム精製中に冷却体を内部から冷却するものとなされている。
【００４９】
また、図１（ｃ）に示すように、溶湯保持炉１と平行する配置で、精製金属掻き落とし装置４が設置されている。
【００５０】
また、図示は省略したが、溶湯保持炉１内の溶融金属２は、一定の温度となるよう加熱炉内に配置され、保持炉１の外側から加熱されるようになっている。
図１（ａ）に示すように、前記回転冷却体３を回転させながら溶湯保持炉１内の溶融金属２に浸漬し、内部に冷却流体を供給しつつ冷却体の回転を持続すると、図１（ｂ）に示すように、冷却体１の周面にアルミニウムの結晶つまり精製アルミニウム５がゆっくり晶出する。
【００５１】
回転冷却体３を保持炉１内の溶融アルミニウム２中に浸漬する際、上述したように冷却体３を回転させながら溶融アルミニウム中に浸漬すると、冷却体３が溶融アルミニウム２と接触しているときは必ず冷却体の外周表面と溶融アルミニウムが相対的な運動をすることになるので、冷却体３の外周表面に十分に精製されたアルミニウムが晶出する。
この場合、冷却体３を溶融アルミニウム２中に浸漬するときの冷却体３の外周表面の周速が、７００ｍｍ／ｓ以上、８０００ｍｍ／ｓ未満の範囲である必要があり、より好ましくは１５００ｍｍ／ｓ以上、６０００ｍｍ／ｓ未満の範囲である。ここでいう周速とは冷却体３の外周表面の移動速度そのものをいい、溶融アルミニウム２の移動速度とは無関係な値である。
【００５２】
また、ここでは、冷却体３の下端が溶湯に触れてから最大深さまで冷却体３を浸漬するまでの時間を「浸漬するとき」とする。つまり、冷却体３の下端が溶湯２に触れてから規定の深さまで冷却体３が浸漬されるまでの間、冷却体３の外周表面の周速を、７００ｍｍ／ｓ以上、８０００ｍｍ／ｓ未満に保持する必要がある。周速が７００ｍｍ／ｓ未満の場合には冷却体３の外周表面の近傍で晶出するアルミニウム中の不純物濃度が高く、結果的に、晶出したアルミニウム中の不純物濃度が高くなる。高純度塊を得るためには冷却体３の外周表面の周速はできるだけ速い方が好ましいが、８０００ｍｍ／ｓ以上では周速が速すぎて、冷却体３の浸漬時に溶湯の湯面が飛び散り、操業上の問題を発生する。
【００５３】
また、冷却体３の形状は特に限定されることはなく、外径が一定の円柱形に形成されていても良いし、下端に到るに従って外径が連続的に縮小した逆円錐台形状（テーパー形状）に形成されていても良いし、他の形状であっても良いが、冷却体３の溶湯に浸漬される全ての部分において、外周表面の周速を７００ｍｍ／ｓ以上、８０００ｍｍ／ｓ未満に保持する必要がある。
【００５４】
また、冷却体３を浸漬するときには、冷却体３の温度をアルミニウムの固相線温度×０．７以上である４７０℃以上にしておく。必要ならヒーター等の加熱装置により加熱すればよい。冷却体３の温度がアルミニウムの固相線温度×０．７未満では、溶融アルミニウムの凝固速度が大きくなりすぎて、冷却体３との密着性が悪く、回転による遠心力によって非常に剥離しやすく、精製金属回収量が減る。溶融アルミニウムに浸漬するときの冷却体３の好ましい温度は、固相線温度×０．８以上であり、さらに好ましくは固相線温度×０．９以上である。
【００５５】
溶湯２に浸漬された回転冷却体３の回転によって、冷却体３の外周表面にはアルミニウムが晶出する。所定量のアルミニウムの晶出後、冷却体３の回転を停止させた状態で溶融アルミニウム中から冷却体３を引き上げると、次のような不具合が発生する恐れがある。
即ち、冷却体３に晶出したアルミニウムと溶湯との界面における相対運動が停止してしまうため、冷却体３の冷却のための冷却媒体の供給を停止したとしても、停止前までに晶出した精製アルミニウム５の表面に、冷却体３の回転停止後引き上げが完了するまでに、不純物濃度の高いアルミニウムが晶出してしまう上、この晶出したアルミニウムの表面にさらに不純物濃度の高い溶融アルミニウムが付着したりするため、精製効率が悪化する恐れがある。
【００５６】
そこで、この実施形態では、冷却体３を回転させながら溶融アルミニウム２から引き上げることで、晶出した精製アルミニウム５の表面と溶融アルミニウムとの界面の相対運動が常に行なわれる状態を保つことが望ましい。これにより、晶出した精製アルミニウム５中の不純物濃度を低くすることができるし、精製アルミニウム２の表面に溶融アルミニウムが付着しにくくなり、精製アルミニウム５の全体の不純物濃度が高くなることを防止することができる。
【００５７】
この観点からすれば、冷却体３を溶融アルミニウム２から引き上げるときの冷却体３の周速はできるだけ速い方が好ましい。具体的には、冷却体３に付着（晶出）した精製アルミニウム５の溶融アルミニウム２との界面における周速を７００ｍｍ／ｓ以上に設定するのがよい。周速が７００ｍｍ／ｓ未満の場合には、精製アルミニウム５の表面に不純物濃度の高いアルミニウムが晶出してしまい、結果的に精製アルミニウム全体の不純物濃度が高くなる恐れがある。より好ましくは１５００ｍｍ／ｓ以上に設定するのがよい。
【００５８】
一方、冷却体３を引き上げるときの冷却体３に付着（晶出）した精製アルミニウム５の溶融アルミニウム２との界面における周速が８０００ｍｍ／ｓ以上では、遠心力が大きすぎるため、精製アルミニウム５の表面に付着した溶融アルミニウム２が液面の上方で飛び散る恐れがある。好ましくは、７０００ｍｍ／ｓ未満に設定するのがよい。
【００５９】
なお、ここでは、冷却体３に晶出している精製アルミニウム５の最上部が溶湯２より引き上げられてから精製アルミニウム５の最下端が溶湯２から離れるまでを「引き上げるとき」とする。つまり、精製アルミニウム５の最上部が溶湯２より引き上げられてから精製アルミニウム５の最下端が溶湯から離れるまで、精製アルミニウム６の溶湯２との界面における周速を７００ｍｍ／ｓ以上、８０００ｍｍ／ｓ未満に保持するのが望ましい。
【００６０】
さらに、この実施形態では、精製初期には冷却体３の周速を意図的に大きくして遠心力を増大させることで、精製初期の短時間の間に、回転冷却体との密着の弱い塊を積極的に剥離させるのがよい。つまり、冷却体３の浸漬直後からの精製初期の間、冷却体３の最大周速を、精製初期経過後の冷却体３の平均周速よりも大きく設定して精製を行うのが良い。具体的には、精製初期の冷却体の最大周速を、精製初期経過後の冷却体３の平均周速の1.1倍以上に設定するのが好ましい。１．１倍を下回ると、十分な遠心力が得られずに、冷却体３との密着性の弱い精製アルミニウムを十分に剥離させることができない恐れがある。
【００６１】
精製初期とは精製開始から全精製時間の0.1倍までの時間をいう。但し、１０秒以上１２０秒以下の範囲である。ここでいう精製開始とは、冷却体３が規定の深さまで溶融アルミニウム２に浸漬された時をいう。全精製時間の0.1倍を越えて以降に、また精製開始から１２０秒を超えた後に冷却体３の周速を大きくしても、精製アルミニウム５の剥離タイミングが遅すぎて、一定時間における精製アルミニウム５の回収量の減少を引き起こすので好ましくない。また、冷却体３の周速を大きくする時間が精製開始から１０秒未満では、冷却体３と密着性の弱い精製アルミニウム５を十分に剥離することができず、好ましくない。
【００６２】
溶湯２から引き上げられた回転冷却体３は、図１（ｄ）のように掻き落とし装置４によって周面に晶出した精製アルミニウム５を掻き落とす。その後、保持炉１に移動し、次の精製を行う。
【００６３】
このような回転冷却体３の浸漬⇒精製アルミニウムの晶出⇒精製アルミニウムを回転冷却体３ともに引き上げ⇒精製アルミニウムを掻き落として回収、の工程を繰り返すことにより、連続的に精製が行われる。
【００６４】
なお、以上の説明では、アルミニウムを精製するものとしたが、アルミニウム以外のシリコン、マグネシウム等の他の金属であっても良いし、金属以外の物質であっても良いし、偏析凝固法の原理を利用して高純度塊を精製しうる物質であれば何でも良い。アルミニウム以外の物質を精製する場合においても、冷却体３の溶融物質への浸漬時の温度は、固相線温度×０．７以上に設定すればよいし、冷却体３の周速に関する条件等も、アルミニウムの精製おいて説明した数値を適用すればよい。
【実施例】
【００６５】
不純物として主に、Ｆｅ：４９０〜５１０ｐｐｍ、Si：３９０〜４１０ｐｐｍが含まれるアルミニウム溶湯を用いて以下のような試験を実施した。
【００６６】
（実施例１）
上記の組成のアルミニウム溶湯を精製保持炉内に入れ、精製炉ヒーターを調整し、６６５℃の温度に保持した。その後、温度を４７０℃（アルミニウムの固相線温度×０．７）に調整した上端部の外径が１５０ｍｍ、下端部の外径が１００ｍｍ、長さ２００ｍｍのテーパー形状の回転冷却体を回転させながら、冷却体の下端部から上１７０ｍｍの位置まで溶融アルミニウム中に浸漬した。浸漬時の冷却体の浸漬部分の最下端部における外周面の周速は２１００ｍｍ／ｓに設定した。
冷却体をそのまま周速２１００ｍｍ／ｓで回転させながら、７分間、回転冷却体周面に精製アルミニウムを晶出させた。
その後、冷却体を回転させながら溶融アルミニウムから引き上げた。引き上げたときの冷却体に晶出した精製アルミニウムの最下端部の表面の周速を２１００ｍｍ／ｓに設定し、冷却体の下端部が溶融アルミニウムから完全に引き上げられるまで、その回転速度を維持した。なお、回転冷却体内には圧縮エアーを供給して冷却させた。
【００６７】
（実施例２）
冷却体の回転を停止して溶融アルミニウム中から引き上げる以外は実施例１と同じ条件で精製を行った。
冷却体に晶出しているアルミニウム精製塊の重量、精製後のFe、Siの濃度及び精製効率
を表１に示す。
【００６８】
（実施例３）
溶湯への浸漬時の冷却体の浸漬部分の最下端部における外周面の周速を１０００ｍｍ／ｓに設定したこと、及び冷却体の回転を停止して溶融アルミニウムから引き上げたこと以外は実施例１と同じ条件で精製を行った。
冷却体に晶出しているアルミニウム精製塊の重量、精製後のFe、Siの濃度及び精製効率
を表１に示す。
【００６９】
（実施例４）
冷却体に晶出した精製アルミニウムの最下端部における溶湯との界面の周速を１０００ｍｍ／ｓに設定して、冷却体を溶融アルミニウムから引き上げたこと以外は実施例１と同じ条件で精製を行った。
冷却体に晶出しているアルミニウム精製塊の重量、精製後のFe、Siの濃度及び精製効率を表１に示す。
【００７０】
（実施例５）
冷却体の溶融アルミニウムへの浸漬時の温度を５３０℃（アルミニウムの固相線温度×０．８）に設定した以外は実施例１と同じ条件で精製を行った。
冷却体に晶出しているアルミニウム精製塊の重量、精製後のFe、Siの濃度及び精製効率
を表１に示す。
【００７１】
（実施例６）
冷却体の溶融アルミニウムへの浸漬時の温度を６００℃（アルミニウムの固相線温度×０．９）に設定した以外は実施例１と同じ条件で精製を行った。
冷却体に晶出しているアルミニウム精製塊の重量、精製後のFe、Siの濃度及び精製効率を表１に示す。
【００７２】
（比較例１）
冷却体を回転させることなく溶融アルミニウムに浸漬し、回転を停止して引き上げたこと以外は実施例１と同じ条件で精製を行った。
冷却体に晶出しているアルミニウム精製塊の重量、精製後のFe、Siの濃度及び精製効率
を表１に示す。
【００７３】
（比較例２）
溶湯への浸漬時の冷却体の浸漬部分の最下端部における外周面の周速を３５０ｍｍ／ｓに設定したこと以外は比較例１と同じ条件で精製を行った。
冷却体に晶出しているアルミニウム精製塊の重量、精製後のFe、Siの濃度及び精製効率
を表１に示す。
【００７４】
（比較例３）
冷却体に晶出した精製アルミニウムの最下端部における溶湯との界面の周速を３５０ｍｍ／ｓに設定して、冷却体を溶融アルミニウムから引き上げたこと以外は比較例１と同じ条件で精製を行った。
冷却体に晶出しているアルミニウム精製塊の重量、精製後のFe、Siの濃度及び精製効率
を表１に示す。
【００７５】
（比較例４）
冷却体の溶融アルミニウムへの浸漬時の温度を３００℃に設定した以外は実施例１と同じ条件で精製を行った。
冷却体に晶出しているアルミニウム精製塊の重量、精製後のFe、Siの濃度及び精製効率を表１に示す。
以上の実施例１〜６、比較例１〜４のそれぞれについて、溶湯から引き上げた冷却体に晶出している精製アルミニウム（アルミニウム精製塊）の重量、精製後のFe、Siの濃度及び精製効率を調べた。その結果を表１に示す。
表１に示されるように、本発明の実施品は比較品に較べて、精製アルミニウムの不純物濃度が低く、精製効率が良いことがわかる。
【００７６】
(実施例７)
実施例1の条件において、５回の精製実験を行った結果、精製塊重量は平均で６．０８kgであった。また、精製中に発生した剥離回数を精製開始からの時間経過とともに調査したところ、表２のとおりであり、精製開始から全精製時間×０．１以降に２回の剥離が発生し、実施例８、９よりも精製塊重量が低くなった。
【００７７】
(実施例８)
実施例１の条件において、精製開始から全精製時間×０．０５まで、冷却体の浸漬部分の最上端部における外周面の周速を３５００ｍｍ／ｓ、それ以降の周速を３０００ｍｍ／ｓに設定して、５回の精製実験を行った結果、精製塊重量は平均で６．１２ｋｇであった。また、精製中に発生した剥離回数を精製開始からの時間経過とともに調査したところ、表３のとおりであり、ほとんどのものは精製開始から全精製時間×０．１以内での剥離のみであったが、５回の試験中１回（実験番号４）は精製開始から全精製時間×０．１〜全精製時間×０．１５で剥離が発生した。
【００７８】
(実施例９)
実施例1の条件において、精製開始から全精製時間×０．１まで、冷却体の浸漬部分の最上端部における外周面の周速を３５００ｍｍ／ｓ、それ以降周速を３０００ｍｍ／ｓに設定して、表４のように、５回の精製実験を行った結果、精製塊重量は平均で６．１４ｋｇであった。また、精製中に発生した剥離回数を精製開始からの時間経過とともに調査したところ、精製開始から全精製時間×０．１以降の剥離は発生しなかったため、精製塊重量は実施例７、８の場合に比べて増大した。
【００７９】
【表１】
0005594958.tif 000002
【００８０】
【表２】
0005594958.tif 000003
【００８１】
【表３】
0005594958.tif 000004
【００８２】
【表４】
0005594958.tif 000005
【図面の簡単な説明】
【００８３】
【図１】この発明の一実施形態に係る精製装置の概略構成と、これを用いた金属精製方法を説明するための図である。
【符号の説明】
【００８４】
１    溶湯保持炉
２    溶融アルミニウム（溶湯）
３    冷却体
５    精製アルミニウム
６    加熱装置
【図１】
0005594958.tif 000006